(57)【要約】【課題】遠隔地に磁気テープの複製を作成するのに好適な磁気テープ複製システム、磁気テープ複製プログラム及び磁気テープ制御装置を提供すること。【解決手段】拠点１の第１の磁気テープ制御装置１１Ａにより磁気テープから取得したイメージファイルを遠隔地である拠点２の磁気テープ制御装置２１ＡにネットワークＮ１を介して送信し、磁気テープ制御装置２１Ａは当該イメージファイルを受信し、ＣＭＴ装置２０Ａに充填された磁気テープに書込む。【選択図】図１
2010165435.tif 000002
【特許請求の範囲】
【請求項１】
一の拠点に設けられた第一の磁気テープ制御装置と、他の拠点に設けられ前記第一の磁気テープ制御装置とネットワークを介して接続された第二の磁気テープ制御装置と、からなる磁気テープ複製システムであって、
前記第一の磁気テープ制御装置は、
第一の磁気テープからイメージファイルを取得するイメージファイル取得手段と、
前記イメージファイル取得手段により取得したイメージファイルを前記ネットワークを介して前記第二の磁気テープ制御装置に伝送するイメージファイル伝送手段と、を有し、
前記第二の磁気テープ制御装置は、
前記イメージファイル伝送手段により伝送されたイメージファイルを受信するイメージファイル受信手段と、
前記イメージファイル受信手段により受信したイメージファイルを第二の磁気テープに複製するイメージファイル複製手段と、を有すること
を特徴とする磁気テープ複製システム。
【請求項２】
前記第一の磁気テープ制御装置及び前記第二の磁気テープ制御装置の少なくとも一方は、それぞれに予め記憶された業務情報及び当該業務情報の変更をネットワークを介して、他方に配信することを特徴とする請求項１に記載の磁気テープ複製システム。
【請求項３】
前記第一の磁気テープ制御装置及び前記第二の磁気テープ制御装置は、前記各拠点ごとに複数あり、複数の前記第一の磁気テープ制御装置及び前記第二の磁気テープ制御装置はそれぞれ独立したネットワークにより接続され多重化されていることを特徴とする請求項１あるいは２に記載の磁気テープ複製システム。
【請求項４】
前記第一の磁気テープ制御装置は、前記イメージファイル取得手段により取得したイメージファイルを記憶管理するイメージファイル管理手段を有し、
前記第二の磁気テープ制御装置は、前記イメージファイル管理手段に自身宛てのイメージファイルが存在するか否かを監視し、自身宛てのイメージファイルが存在する場合には、当該自身宛てのイメージファイルの送信要求信号を発し、当該自身宛てのイメージファイルを前記イメージファイル受信手段により受信するためのイメージファイル監視手段を有すること
を特徴とする請求項１〜３いずれか１項に記載の磁気テープ複製システム。
【請求項５】
１つの第二の磁気テープ制御装置が第一の磁気テープ制御装置に対し自身宛てのイメージファイルの送信要求信号を発した場合、
前記イメージファイル管理手段は、前記送信要求信号を発せられたイメージファイルに対し処理中として他の第二の磁気テープ制御装置からの要求ができないようにすることを特徴とする請求項４に記載の磁気テープ複製システム。
【請求項６】
前記イメージファイル管理手段は、記憶管理するイメージファイルの状態を取得し、当該状態に応じてフォルダを作成し分類することを特徴とする請求項４あるいは５に記載の磁気テープ複製システム。
【請求項７】
前記イメージファイル管理手段は、記憶管理するイメージファイルの処理日の開始時間を任意に設定ができることを特徴とする請求項４〜６いずれか１項に記載の磁気テープ複製システム。
【請求項８】
前記第一の磁気テープ制御装置と前記第二の磁気テープ制御装置との間のネットワークには、主経路と予備経路が設けられていることを特徴とする請求項１〜７いずれか１項に記載の磁気テープ複製システム。
【請求項９】
前記第一の磁気テープ制御装置は、予め記憶された業務情報に応じて第一の磁気テープの読み込みの可否を判断することを特徴とする請求項１〜８いずれか１項に記載の磁気テープ複製システム。
【請求項１０】
前記第一の磁気テープ制御装置は、
前記イメージファイル取得手段が前記第一の磁気テープから
前記イメージファイルを取得するときに、イメージファイルに含まれるブロック数をカウントする読込ブロックカウント手段と、
前記読込ブロックカウント手段でカウントした数に対応したファイル名を、前記イメージファイルに付与するファイル名付与手段と、を有し、
前記第二の磁気テープ制御装置は、
前記イメージファイル受信手段で受信した
イメージファイルを第二の磁気テープに複製するときに、前記受信したイメージファイルに含まれるブロック数をカウントする複製ブロックカウント手段と、
前記受信したイメージファイルのファイル名から抽出したブロック数と、前記複製ブロックカウント手段が計数したブロック数とを評価する評価手段と
を有することを特徴とする請求項１〜９いずれか１項に記載の磁気テープ複製システム。
【請求項１１】
請求項１から１０のいずれか１項に記載の第一の磁気テープ制御装置及び第二の磁気テープ制御装置を動作させるための磁気テープ複製プログラムであって、コンピュータを上記の各手段として機能させるための磁気テープ複製プログラム。
【請求項１２】
請求項１〜１０いずれか１項に記載の第一の磁気テープ制御装置あるいは第二の磁気テープ制御装置を構成する磁気テープ制御装置であって、
請求項１１に記載の磁気テープ複製プログラムを格納した磁気テープ制御装置。
【発明の詳細な説明】
【技術分野】
【０００１】
本発明は、磁気テープに保存したイメージファイルをネットワークを介して遠隔地に送信し、遠隔地において磁気テープの複製を作成するための磁気テープ複製システム、磁気テープ複製プログラム及び磁気テープ制御装置に関する。
【背景技術】
【０００２】
従来から、企業においては、人為的ミス、コンピュータウィルス、地震などの災害など種々の要因からデータが損失するのを防止するため、データのバックアップが行われている。通常は、普段使用しているデータのストレージとは別のストレージに、定期的にバックアップを取ることが推奨されており、バックアップ用メディアの１つとしてハードディスクがある。
【０００３】
このハードディスクは、固定ディスクなので、元データとバックアップ用データとを同じ場所で保管するようになる。そのため、災害等が発生すると、バックアップ用データも一緒に失う可能性が高くなる。その上、ハードディスクはドライブが壊れるとデータが読み出せなくなるといった問題がある。
【０００４】
また、他のバックアップ用メディアとして、磁気テープがある。この磁気テープは、粉末状の磁性体をテープ状のフィルムに、バインダー（接着剤）で塗布または蒸着した記録媒体で、磁性の変化により情報を記録・再生する磁気記録メディアである。この磁気テープは、ドライブが壊れてもメディア自体は影響を受けず、種類によっては数十年の長期保存が可能であること等の理由から、企業が保有する大規模なサーバ、メインフレームなどのバックアップ用メディアとして主に用いられている。
【０００５】
その一方、磁気テープは、磁気の影響を受けやすいという短所があるので、例えば、銀行においては、センターＡのメインフレームから出力された磁気テープを、遠隔地のセンターＢのメインフレームにて関連業務処理を行う場合、荷物を仕分けるためのベルトコンベアーから発生される磁気の影響を避けるべく、トラックによる直送便を利用して磁気テープを遠隔地に運搬している。
【０００６】
磁気テープのデータを遠隔地において使用する場合には、現状では、このような直送便を使用せざるを得ないという実態があるが、このような手法では、時間とコストがかかるうえ、輸送時において磁気テープの漏洩、紛失、破損の心配もある。また、トラックを使用するため、近隣に対する騒音等を含めた環境問題の心配もある。
【０００７】
ここで、従来から、輸送を使用せずに遠隔地にデータを送信する技術として、ＦＴＰ伝送などのネットワークを利用してデータを送信する技術等があるが、本発明者らが調べたところ、磁気テープに関する技術としては特許文献１に記載のデータ送信装置及びその制御方法があった。ただし、この特許文献１には、磁気テープに記録されるデータについて所定のフォーマットと異なる他のフォーマットを検知した場合、この他のフォーマットのデータを所定のフォーマットのデータに変換し、別の記録再生装置に送信することだけが記載されている。従って、特許文献１に記載の技術を利用しただけでは、遠隔地に磁気テープの全てのデータをバックアップすることはできず、未だ満足の行く遠隔地への磁気テープのバックアップ技術は存在しない。
【先行技術文献】
【特許文献】
【０００８】
【特許文献１】特開２００７−４９４５９号公報
【発明の概要】
【発明が解決しようとする課題】
【０００９】
そこで、本発明の目的は、遠隔地に磁気テープの複製を作成するのに好適な磁気テープ複製システム、磁気テープ複製プログラム及び磁気テープ制御装置を提供することにある。
【課題を解決するための手段】
【００１０】
本発明は、一の拠点に設けられた第一の磁気テープ制御装置と、他の拠点に設けられ前記第一の磁気テープ制御装置とネットワークを介して接続された第二の磁気テープ制御装置と、からなる磁気テープ複製システムであって、前記第一の磁気テープ制御装置は、第一の磁気テープからイメージファイルを取得するイメージファイル取得手段と、前記イメージファイル取得手段により取得したイメージファイルを前記ネットワークを介して前記第二の磁気テープ制御装置に伝送するイメージファイル伝送手段と、を有し、前記第二の磁気テープ制御装置は、前記イメージファイル伝送手段により伝送されたイメージファイルを受信するイメージファイル受信手段と、前記イメージファイル受信手段により受信したイメージファイルを第二の磁気テープに複製するイメージファイル複製手段と、を有することを特徴とする。
【００１１】
ここで、「イメージファイル」とは、磁気テープ等に記録されたボリュームラベル、ブロックギャップ等の情報をそのままハードディスク等の別の記憶媒体に複製、保存したファイルを言う。
【００１２】
前記第一の磁気テープ制御装置及び前記第二の磁気テープ制御装置の少なくとも一方は、それぞれに予め記憶された業務情報及び当該業務情報の変更をネットワークを介して、他方に配信するようにしてもよい。
【００１３】
前記第一の磁気テープ制御装置及び前記第二の磁気テープ制御装置は、前記各拠点ごとに複数あり、複数の前記第一の磁気テープ制御装置及び前記第二の磁気テープ制御装置はそれぞれ独立したネットワークにより接続され多重化されていてもよい。
【００１４】
前記第一の磁気テープ制御装置は、前記イメージファイル取得手段により取得したイメージファイルを記憶管理するイメージファイル管理手段を有し、前記第二の磁気テープ制御装置は、前記イメージファイル管理手段に自身宛てのイメージファイルが存在するか否かを監視し、自身宛てのイメージファイルが存在する場合には、当該自身宛てのイメージファイルの送信要求信号を発し、当該自身宛てのイメージファイルを前記イメージファイル受信手段により受信するためのイメージファイル監視手段を有するように構成してもよい。
【００１５】
また、１つの第二の磁気テープ制御装置が第一の磁気テープ制御装置に対し自身宛てのイメージファイルの送信要求信号を発した場合、前記イメージファイル管理手段は、前記送信要求信号を発せられたイメージファイルに対し処理中として他の第二の磁気テープ制御装置からの要求ができないようにするようにしてもよい。
【００１６】
前記イメージファイル管理手段は、記憶管理するイメージファイルの状態を取得し、当該状態に応じてフォルダを作成し分類するようにしてもよい。
【００１７】
前記イメージファイル管理手段は、記憶管理するイメージファイルの処理日の開始時間を任意に設定ができるようにしてもよい。
【００１８】
前記第一の磁気テープ制御装置と前記第二の磁気テープ制御装置との間のネットワークには、主経路と予備経路が設けられているように構成してもよい。
【００１９】
前記第一の磁気テープ制御装置は、予め記憶された業務情報に応じて第一の磁気テープの読み込みの可否を判断するようにしてもよい。
【００２０】
前記第一の磁気テープ制御装置は、前記イメージファイル取得手段が前記第一の磁気テープから前記イメージファイルを取得するときに、イメージファイルに含まれるブロック数をカウントする読込ブロックカウント手段と、前記読込ブロックカウント手段でカウントした数に対応したファイル名を、前記イメージファイルに付与するファイル名付与手段と、を有し、前記第二の磁気テープ制御装置は、前記イメージファイル受信手段で受信したイメージファイルを第二の磁気テープに複製するときに、前記受信したイメージファイルに含まれるブロック数をカウントする複製ブロックカウント手段と、前記受信したイメージファイルのファイル名から抽出したブロック数と、前記複製ブロックカウント手段が計数したブロック数とを評価する評価手段とを有するようにしてもよい。
【００２１】
本発明は、前記いずれかに記載の第一の磁気テープ制御装置及び第二の磁気テープ制御装置を動作させるための磁気テープ複製プログラムであって、コンピュータを上記の各手段として機能させることを特徴とする。
【００２２】
本発明は、前記いずれかに記載の第一の磁気テープ制御装置あるいは第二の磁気テープ制御装置を構成する磁気テープ制御装置であって、前記磁気テープ複製プログラムを格納したことを特徴とする。
【発明の効果】
【００２３】
本発明によれば、一の拠点に設けられた第一の磁気テープ制御装置と、他の拠点に設けられ前記第一の磁気テープ制御装置とをネットワークを介して接続し、第一の磁気テープ制御装置で第一の磁気テープから取得したイメージファイルをネットワークを介して第二の磁気テープ制御装置に送信し、第二の磁気テープ制御装置により第二の磁気テープに複製するようにした。これにより、従来要していた輸送費、人件費などのコストが削減でき、作業時間の短縮化も図れる等といった効果を奏する。
【図面の簡単な説明】
【００２４】
【図１】本発明の実施形態の磁気テープ複製システムの概略的な構成を示すブロック図である。
【図２】本発明の実施形態の磁気テープ複製システムの概略的な動作手順を示すシーケンス図である。
【図３】磁気テープに記録された磁気テープ情報のデータ構造を示す説明図である。
【図４】本発明の実施形態の磁気テープ複製システムの処理手順を画面により示した説明図である。
【図５】図４に示す磁気テープ管理画面の拡大図である。
【図６】標準ラベルの場合の読み込み処理の一例を示すフローチャートである。
【図７】ノンラベルの場合の読み込み処理の一例を示すフローチャートである。
【図８】ＣＭＴロード処理の一例を示すフローチャートである。
【図９】ＣＭＴ読込処理の一例を示すフローチャートである。
【図１０】ＣＭＴアンロード処理の一例を示すフローチャートである。
【図１１】標準ラベルの場合の書込み処理の一例を示すフローチャートである。
【図１２】ノンラベルの場合の書込み処理の一例を示すフローチャートである。
【図１３】コピー処理の一例を示すフローチャートである。
【図１４】ＣＭＴ書込み処理の一例を示すフローチャートである。
【発明を実施するため形態】
【００２５】
以下、本発明の実施の形態について、図を参照しながら説明する。なお、本実施形態において、磁気テープとは、カートリッジ磁気テープ（ＣＭＴ：Ｃａｒｔｒｉｄｇｅ  Ｍａｇｎｅｔｉｃ  Ｔａｐｅ）とするが、ＬＴＯ（Ｌｉｎｅａｒ  Ｔａｐｅ  Ｏｐｅｎ）等の他の磁気テープであってもよい。また、ネットワークＮ１、Ｎ２は、ＷＡＮ（広域Ｅｔｈｅｒｎｅｔ  １００Ｍｂｐｓ）であり専用回線とするが、インターネットなどの他の公衆回線であってもよい。
【００２６】
＜システムの全体構成＞
図１は、本発明の一実施形態である磁気テープ複製システム１の概略的な構成を示すブロック図である。図１に示す通り、磁気テープ複製システム１は、拠点１と遠隔地にある拠点２との間において、ネットワークＮ１あるいはＮ２を介して磁気テープの複製を作成するシステムである。具体的には、磁気テープ複製システム１は、次のように構成されている。なお、本実施形態においては、各拠点間及び拠点内において、複数の同一の構成を有することから、各構成を区別するときは図１に示す符号を付して説明し、各構成を区別しないときは符号を付さない、あるいは次のような総括的な符号を付して説明する。具体的には、ＣＭＴ装置，磁気テープ制御装置、ルータ及びネットワークを総括的に説明するときは符号は付さず、第一の磁気テープ制御装置を総括的に説明するときは１１、第二の磁気テープ制御装置を総括的に説明するときは２１と表記する。
【００２７】
まず、拠点１には、ＣＭＴ装置１０Ａと、当該ＣＭＴ装置１０Ａに接続された第一の磁気テープ制御装置１１Ａと、当該第一の磁気テープ制御装置１１Ａに接続されたルータ１２Ａと、からなるＣＭＴシステム１００Ａが配設されている。更に、ＣＭＴ装置１０Ｂと、当該ＣＭＴ装置１０Ｂに接続された第一の磁気テープ制御装置１１Ｂと、当該第一の磁気テープ制御装置１１Ｂに接続されたルータ１２Ｂと、からなるＣＭＴシステム１００Ｂが配設されている。
【００２８】
同様に、拠点２にも、ＣＭＴ装置２０Ａと、当該ＣＭＴ装置２０Ａに接続された第二の磁気テープ制御装置２１Ａと、当該第二の磁気テープ制御装置２１Ａに接続されたルータ１２Ａと、からなるＣＭＴシステム２００Ａが配設されている。更に、ＣＭＴ装置２０Ｂと、当該ＣＭＴ装置２０Ｂに接続された第二の磁気テープ制御装置２１Ｂと、当該第二の磁気テープ制御装置２１Ｂに接続されたルータ２２Ｂと、からなるＣＭＴシステム２００Ｂが配設されている。
【００２９】
本実施形態においては、第一の磁気テープ制御装置１１Ａと第二の磁気テープ制御装置２１Ａがルータ１２Ａ、２２Ａを介してネットワークＮ１に、第一の磁気テープ制御装置１１Ｂと第二の磁気テープ制御装置２１Ｂがルータ１２Ｂ、２２Ｂを介してネットワークＮ２にそれぞれ接続されており、磁気テープ複製システム１は、２つの異なるネットワークＮ１、Ｎ２を使用して二重化されている。このように二重化することにより、１つのネットワークに障害が発生したとしても他のネットワークを利用することにより磁気テープのイメージファイルを遠隔地に伝送することができる。なお、本実施形態においては、二重化しているが、必ずしも二重化する必要はないし、また、三重化、四重化など更なる多重化をすることも可能である。
【００３０】
ＣＭＴ装置は、カートリッジ磁気テープ装置であり、磁気テープ（カートリッジ磁気テープ）の入出力を行なう装置である。例えば、ＣＭＴ装置としては、株式会社ユニテックス社製の型番ＵＭＴ−４９０ＥＷＳ−ＡＣＬ、ＵＭＴ−Ｆ４９０ＥＷＳ−ＡＣＬ／ＦＭなど種々のカートリッジ磁気テープ装置を使用することが可能である。
【００３１】
磁気テープ制御装置には、磁気テープ複製プログラムが格納されている。磁気テープ複製プログラムは、磁気テープ複製システム１を構成する全ての磁気テープ制御装置（図１では、１１Ａ、１１Ｂ、２１Ａ、２１Ｂ）に予めインストールされており、磁気テープ制御装置に含まれる（図示しない）コンピュータを次の各手段として機能させる。具体的には、各手段は、磁気テープからイメージファイルを取得するイメージファイル取得手段、イメージファイルをネットワークを介して第二の磁気テープ制御装置２１に伝送するイメージファイル伝送手段、伝送されたイメージファイルを受信するイメージファイル受信手段、受信したイメージファイルを磁気テープに複製するイメージファイル複製手段、取得したイメージファイルを記憶管理するイメージファイル管理手段、前記イメージファイル管理手段に自身宛てのイメージファイルが存在するか否かを監視し、自身宛てのイメージファイルが存在する場合には、当該自身宛てのイメージファイルの送信要求信号を発し、当該自身宛てのイメージファイルを前記イメージファイル受信手段により受信するためのイメージファイル監視手段、前記イメージファイルを取得するときに、イメージファイルに含まれるブロック数をカウントする読込ブロックカウント手段、前記読込ブロックカウント手段でカウントした数に対応したファイル名を、前記イメージファイルに付与するファイル名付与手段、イメージファイルを磁気テープに複製するときに、イメージファイルに含まれるブロック数をカウントする複製ブロックカウント手段、前記イメージファイルのファイル名から抽出したブロック数と、前記複製ブロックカウント手段が計数したブロック数とを評価する評価手段等である。
【００３２】
また、各磁気テープ制御装置１１Ａ、１１Ｂ、２１Ａ、２２Ｂは、全ての装置に一意なＩＰアドレスが設定されているとともに、主経路と予備経路を有している。具体的には、第一の磁気テープ制御装置１１Ａ及び第一の磁気テープ制御装置１１Ｂは、ルータ１２Ａとルータ１２Ｂにそれぞれ接続されており、第一の磁気テープ制御装置１１Ａは主経路をＭＲ１，予備経路をＳＲ１とし、第一の磁気テープ制御装置１１Ｂは主経路をＭＲ２，予備経路をＳＲ２とする。他方、第二の磁気テープ制御装置２１Ａ及び第二の磁気テープ制御装置２１Ｂは、ルータ２２Ａとルータ２２Ｂにそれぞれ接続されており、第二の磁気テープ制御装置２１Ａは主経路をＭＲ３，予備経路をＳＲ３とし、第二の磁気テープ制御装置２１Ｂは主経路をＭＲ４，予備経路をＳＲ４とする。これら主経路と予備経路は、通常はいずれの磁気テープ制御装置においても主経路により通信をするように設定されているが、主経路に何らかの障害が発生し通信不能になった場合には、当該障害を検知し、主経路から予備経路に切り替えるように予め設定されている。
【００３３】
また、各磁気テープ制御装置１１Ａ、１１Ｂ、２１Ａ、２２Ｂには、作業を行なう操作員のユーザー名、パスワード、ネットワーク設定及び環境情報等が登録されている。ユーザー名は操作員を識別する名前であり全ての操作員情報の中で一意である必要がある。パスワードは磁気テープ複製プログラムにログインする際に入力する必要がある。ネットワーク設定は、事業所（通信する磁気テープ制御装置を表わす任意の名称）、前記主経路用のＩＰアドレス及び予備経路のＩＰアドレス等である。環境情報は、パスワードの有効期限、ホスト時間の更改情報、例えば、平日に日を切り替える「時」、「分」、「秒」等を指定する。
【００３４】
ルータ１２Ａ、１２Ｂ、２２Ａ、２２Ｂは、２つ以上の異なるネットワーク間を相互接続する通信機器であり、本実施形態においては、ルータ１２Ａは第一の磁気テープ１１Ａの主経路ＭＲ１と第一の磁気テープ制御装置１１Ｂの予備経路ＳＲ２に、ルータ１２Ｂは第一の磁気テープ１１Ａの予備経路ＳＲ１と第一の磁気テープ制御装置１１Ｂの主経路ＭＲ２に、他方、ルータ２２Ａは第二の磁気テープ２１Ａの主経路ＭＲ３と第二の磁気テープ制御装置２１Ｂの予備経路ＳＲ４に、ルータ２２Ｂは第二の磁気テープ２１Ａの予備経路ＳＲ３と第二の磁気テープ制御装置２１Ｂの主経路ＭＲ４に、それぞれ接続されている。
【００３５】
ルータ１２Ａとルータ２２ＡはネットワークＮ１に、ルータ１２Ｂとルータ２２ＢはネットワークＮ２にそれぞれ接続されており、本発明の磁気テープ複製システム１はいわゆる二重化構造を採用している。このように二重化構造を採用することで、ネットワークＮ１あるいはＮ２の一方が不通になった場合であっても、他のネットワークを利用することができる。
【００３６】
＜システムの動作＞
次に、図２〜図１４を参照して磁気テープ複製システム１の動作説明を行なう。図２は磁気テープ複製システム１の概略的な動作手順を示すシーケンス図、図３は磁気テープに記録されているデータ構造の一例を示す説明図、図４は磁気テープ複製システム１の処理手順を画面により示した説明図、図５は図４に示す磁気テープ管理画面の拡大図、図６は標準ラベルの場合の読み込み処理の一例を示すフローチャート、図７はノンラベルの場合の読み込み処理の一例を示すフローチャート、図８はＣＭＴロード処理の一例を示すフローチャート、図９はＣＭＴ読込処理の一例を示すフローチャート、図１０はＣＭＴアンロード処理の一例を示すフローチャート、図１１は標準ラベルの場合の書込み処理の一例を示すフローチャート、図１２はノンラベルの場合の書込み処理の一例を示すフローチャート、図１３はコピー処理の一例を示すフローチャート、図１４はＣＭＴ書込み処理の一例を示すフローチャートである。
【００３７】
＜システムの動作の概略＞
図２には、磁気テープ複製システム１の概略的な動作手順を示すシーケンス図が示されており、ここでは、ＣＭＴ装置１０Ａの（図示しない）スロットに装填された磁気テープの複製をネットワークＮ１あるいはＮ２を介して拠点２において作成する場合の概略動作が図示されている。
【００３８】
ここでは、例えば、ネットワークを使用したファイル共有システムを利用し、拠点１の第一の磁気テープ制御装置１１Ａにおいて読み込まれた磁気テープのイメージファイルの複製を遠隔地である拠点２において作成する場合を想定している。この場合、まず、第一の磁気テープ制御装置１１Ａにおいて、登録あるいは変更された業務情報が拠点２の第二の磁気テープ装置２１Ａ、２１Ｂに同報配信される（Ｓ１）。一方、拠点２においては、各第二の磁気テープ制御装置２１Ａ、２１Ｂにおいて、第一の磁気テープ制御装置１１Ａ，１１Ｂ内のファイルを読み出し、処理対象画面（図５参照）を表示し、自拠点宛ての処理対象を監視する（Ｓ２）。そして、該当する処理対象があった場合には、第二の磁気テープ制御装置２１Ａ、２１Ｂのうち早く送信要求信号を拠点１側において受信した方（図２では２１Ａ）に対し、拠点１側で読み込まれた磁気テープのイメージファイルを送信し複製する処理を行い、他方の第二の磁気テープ制御装置２１Ｂに対してはイメージファイルの送信処理を行わないようにしている（Ｓ３〜Ｓ６）。
【００３９】
より具体的には、第一の磁気テープ制御装置１１Ａが磁気テープの読込が終了した場合、第二の磁気テープ制御装置２１Ａが該当する処理対象を検出する（Ｓ３）。次に、第二の磁気テープ制御装置２１Ａは、第一の磁気テープ制御装置１１Ａのファイルで、検出した処理対象を処理中に書き換える（Ｓ４）。第二の磁気テープ制御装置２１Ａは、第一の磁気テープ制御装置１１Ａのハードディスクに記憶されているイメージファイルを、第二の磁気テープ制御装置２１Ａの一時ファイルに記憶する（Ｓ５）。同時に、処理した処理対象を第一の磁気テープ制御装置１１Ａの処理対象のファイルから削除する。第二の磁気テープ制御装置２１Ａは、自身の一時ファイルに記憶されたイメージファイルをＣＭＴ装置２０Ａに書込み、書込み終了後、処理した処理対象を第一の磁気テープ制御装置１１Ａの処理済みファイルに書込む（Ｓ６）。この結果、該当する処理対象が第一の磁気テープ制御装置１１Ａの処理対象のファイルから削除されたため、第二の磁気テープ制御装置２１Ｂは、第一の磁気テープ制御装置１１Ａのハードディスクに記憶されているイメージファイルを、第二の磁気テープ制御装置２１Ｂの一時ファイルに記憶する処理を行わない。
【００４０】
＜磁気テープのデータ構造＞
図３を参照して磁気テープのデータ構造について説明する。図３には、磁気テープのデータ構造のイメージ図が記載されており、（ａ）シングルボリューム／シングルファイル、（ｃ）シングルボリューム／マルチファイル、（ｃ）マルチボリューム／シングルファイルである。ＶＯＬ（Ｖｏｌｕｍｅ：ボリューム）は一巻の磁気テープを単位とした呼称であり、１つのファイルが複数のボリュームにまたがるものをマルチボリュームと言う。データセット（ＤａｔａＳｅｔ）は、ボリューム内の１つのファイルを単位とした呼称であり、単にファイルと呼ぶこともある。複数のファイルが１つのボリュームにある形式をマルチデータセットまたはマルチファイルと言う。ＢＯＴ（Ｂｅｇｉｎｎｉｎｇ  Ｏｆ  Ｔａｐｅ）は、磁気テープの先頭を表したものであり、ＥＯＴ（Ｅｎｄ  Ｏｆ  Ｔａｐｅ）は、磁気テープの終端を表したものであり、ＴＭ（Ｔａｐｅ  Ｍａｒｋ）は、データセットの終端を示す電気的な印であり、データセット及びファイルを区切ることからファイルマークとも言う。
【００４１】
また、ＶＯＬ１は、ボリューム見出しラベルであり、ボリューム番号、作成者などが記録されている。ＨＤＲ１は、第１ファイル見出しラベルであり、データセット名、書込み日付などが記載されている。ＨＤＲ２は、第２ファイル見出しラベルである。ＥＯＦ（Ｅｎｄ  Ｏｆ  Ｆｉｌｅ）は第１ファイル終わりラベルでありＨＤＲ１に対応して付されるラベルである。ＥＯＦ２にはブロック書込み数、最大サイズのブロックに関するデータ等が記憶されたラベルであり、これらＥＯＦは下記評価の際に使用される。本発明においては、遠隔地である第２拠点のＣＭＴ装置に装填された磁気テープに記録されるのは、データセット、すなわち実データ部分だけでなく、これらラベルも含めそっくりそのまま記録される、言うなれば「デッドコピー」が作成されるのである。よって、本発明においては、遠隔地においてバックアップをとる際に、アプリケーションに依存することなく、全く同じ磁気テープを複製することができる。
【００４２】
＜システムの動作の画面による説明＞
更に、磁気テープ複製システム１の動作について画面を用いて詳細に説明する。上記概略説明した磁気テープ複製システム１の動作は、各磁気テープ制御装置１１Ａ、１１Ｂ、２１Ａ、２１Ｂにインストールされた磁気テープ複製プログラムを起動することにより行なわれる。この磁気テープ複製プログラムはＧＵＩプログラムであり、デスクトップ上に作成される所定のアイコン、あるいはスタートメニューから起動することができ、起動すると図４のログイン画面ＳＣ１が表示される。
【００４３】
ログイン画面ＳＣ１は、「ユーザー名」を入力するユーザー名入力欄１０１、「パスワード」を入力するパスワード入力欄１０２、確定ボタン１０３及び中止ボタン１０４からなる。
【００４４】
このログイン画面ＳＣ１において、予め登録された「ユーザー名」と「パスワード」をそれぞれの入力欄１０１、１０２に入力し、確定ボタン１０３を押下すると、図４に示すメインメニュー画面ＳＣ２が表示される。一方、ログイン処理を中止する場合には、中止ボタン１０４を押下すれば当該ログイン処理は中断され、ログイン画面ＳＣ１が閉じられ、磁気テープ複製プログラムは終了する。
【００４５】
また、「ユーザー名」と「パスワード」は、予め登録しておく必要があり、当該パスワードにはセキュリティ上、有効期限が設定されている。この有効期限から事前にユーザーにおいて設定された期間前（例えば、１０日前）になると、（図示しない）警告画面が表示され、パスワードの変更を求め、当該求めに対し、ユーザーはパスワードを変更することが可能である。但し、変更せずにそのままのパスワードを使用することもできる。
【００４６】
なお、上記有効期限が切れると、（図示しない）パスワードの有効期限切れを知らせるための所定の画面が表示され、磁気テープ複製プログラムの使用することが出来ないようになっている。この所定の画面が表示された場合には、当該画面でパスワードを変更するか、該当のパスワードを変更する必要がある。
【００４７】
上述したログイン操作を行なうと、次に図４に示すメインメニュー画面ＳＣ２が表示される。このメインメニュー画面ＳＣ２は、磁気テープ読込ボタン２０１、磁気テープ書込ボタン２０２、カレンダー設定ボタン２０３、業務情報設定ボタン２０４及び終了ボタン２０５から構成されている。磁気テープ読込ボタン２０１あるいは磁気テープ書込ボタン２０２を押下すると磁気テープ管理画面ＳＣ３に移行し、カレンダー設定ボタン２０３を押下するとカレンダー設定画面ＳＣ４に移行し、業務情報設定ボタン２０４を押下すると業務情報設定画面ＳＣ５にそれぞれ移行するようになっている。
【００４８】
磁気テープ管理画面ＳＣ３は、主に磁気テープの読込処理及び書込処理を行なうための画面であり、本発明の特徴部分であり、図５にその拡大図を示しているので詳細な説明は、後述する。
【００４９】
カレンダー設定画面ＳＣ４は、年表示欄４０１Ａの設定を変更する年設定ボタン４０１、年表示欄４０１Ａに表示された「年」に合わせてカレンダーを変更する調整ボタン４０２、「月」を変更しその月のカレンダーを表示する月設定ボタン４０３、「日」の種類を変更にする日設定ボタン４０４及び終了ボタン４０５からなる。このカレンダー設定画面ＳＣ４は、ホスト日時を計算する際に必要となる、日の設定をする画面であり、通常のカレンダーに従って土曜日及び日曜日は自動で表示されるが、運用環境毎の特別な日を設定することもできる。
【００５０】
例えば、通常のカレンダーによれば平日であり出勤日であるが、休日として換算する場合に、このカレンダー設定画面ＳＣ４は使用される。具体的には、図４に示すカレンダー設定画面ＳＣ４において、「２日」は「金曜日」でありシステム上「平日」として予め設定してある。しかし、この日が会社設立日であり特別に「休日」としたい場合に、この「２日」を示す日設定ボタン４０４を押下すと、（図示しない）日の種類を変更可能な画面が表示され、この画面を操作することにより、「２日」を「休日」として設定変更すれば、ホスト日時を計算する際に休日として扱われることとなる。
【００５１】
業務情報設定画面ＳＣ５は、業務情報一覧５０１、新規ボタン５０２、修正ボタン５０３、削除ボタン５０４、業務情報数表示欄５０５、入力ボタン５０６、出力ボタン５０７及び終了ボタン５０８からなる。新規ボタン５０２は、業務情報の新規登録画面（図示しない）を表示するボタンであり、識別コード、ＶＬＤ、業務コード、業務名、ファイル名、拠点（ＩＮ）、ＶＯＬ番号（ＩＮ）、拠点（ＯＵＴ）、ＶＯＬ番号（ＯＵＴ）、ラベル形式、データセット名、ＶＯＬ形式、順序番号、データ圧縮、備考、依頼部署、依頼内容、作成日、修正日及びＤＭＫ等の項目を入力しこれら入力した情報を登録することができる。
【００５２】
これら登録情報の詳細は次の通りである。識別コードは業務情報のキーとなり重複した識別コードを登録することはできない。ＶＬＤは有効フラグ（Ｖａｌｉｄの略）でチェックをはずすと業務情報として磁気テープに割り当てることができなくなる。業務コードはユーザーにおいて任意のコードを入力できる。業務名及びファイル名も任意の文字列を入力できる。拠点（ＩＮ）はシステムに事前登録されている拠点から、本業務情報に該当する磁気テープの読み込みを行なう拠点を選択する欄である。ＶＯＬ番号（ＩＮ）は読み込みを行なう磁気テープのＶＯＬ番号を指定する欄である。拠点（ＯＵＴ）はシステムに事前登録されている拠点から、本業務情報に該当する磁気テープの書き込みを行なう拠点を選択する欄である。
【００５３】
ＶＯＬ番号（ＯＵＴ）は書き込みを行なう磁気テープのＶＯＬ番号を指定する欄である。ラベル形式は対象磁気テープのラベル形式、すなわち、標準ラベルかノンラベルかを選択する欄である。データセット名は対象磁気テープのデータセット名の入力欄である。ＶＯＬ形式は固定あるいは非固定を選ぶことができ、固定の場合は読み込み時にＶＯＬ番号を確認し、非固定の場合は読み込み時にＶＯＬ番号を確認しない。順序番号は対象磁気テープの順序番号を入力する欄である。データ圧縮は自動、有効あるいは無効を選択することができ、自動の場合はＣＭＴ装置が認識した圧縮状態でコピーをし、有効の場合はＣＭＴ装置が認識した圧縮状態に関係なく常に圧縮してコピーし、無効の場合はＣＭＴ装置が認識した圧縮状態に関係なく常に圧縮しないでコピーをする。
【００５４】
備考は備考を入力する欄である。依頼部署及び以来内容はユーザーにおいて任意の文字列を入力する欄である。作成日は業務情報を新規作成した日付が表示される欄であり入力することはできない。修正日は業務情報を最後に修正した日付が表示される欄であり入力することはできない。ＤＭＫは削除マーク（Ｄｅｌｅｔｅ  Ｍａｒｋの略）で、一度業務情報の削除を行なうとマークされる。マークされている状態で再度操作員情報の削除を行なうと完全に削除され、マークされた業務情報は登録されていないものとみなされる。
【００５５】
これら登録した情報が、業務情報一覧５０１に表示される。この業務情報設定画面ＳＣ５により、磁気テープに関連付ける業務情報を設定することができる。修正ボタン５０３は、業務情報一覧５０１に表示された業務情報を修正するためのボタンであり、業務情報一覧５０１に表示された業務情報をマウスなどを操作することにより選択し、当該修正ボタン５０３を押下することにより（図示しない）修正画面が表示され、業務情報を選択可能になっている。同様に、削除ボタン５０４は、選択された業務情報を削除するボタンである。
【００５６】
入力ボタン５０６は、表計算ソフトなどを用いて予めユーザーにおいて作成されたＣＳＶファイルを読み込み、読み込まれた業務情報を入力するボタンであり、一方、出力ボタン５０７は、本システム側において作成された業務情報を、ＣＳＶファイルとして出力するボタンである。終了ボタン５０８は、業務情報設定画面ＳＣ５を終了するとともに、結果を保存するためのボタンである。なお、この終了ボタン５０８を押下することにより、この業務情報設定画面ＳＣ５において登録／変更された業務情報は、ネットワーク設定で「同報配信先」に指定された磁気テープ制御装置へ自動的に配信される。
【００５７】
図５には、磁気テープ管理画面ＳＣ３の拡大図が示されており、その構成を説明すると次の通りである。３０１〜３０３は、ユーザー側において任意に設定されたホスト日時を表示する欄である。例えば、一般的なコンピュータの日時は深夜０：００を超えると日が変わるが、ホストの夜間処理では深夜０：００をまたいで一続きの処理を行なうため途中で日が変わると分かりづらくなる。そのため、前日の２５：００、２６：００等と表現するホスト日時を表示することにより、一日分の処理を同一日にすることができるようになる。本磁気テープ複製プログラムにおいてはユーザーにおいてこのホスト日時を任意に設定可能となっている。なお、通常のホスト日時は、３３５〜３３７であり、３３５は現在の日付、３３６は曜日及び３３７は時間を表示する欄であり、３３８はこの日付の種別、すなわち平日なのか休日なのかを表示する欄である。通常の８：３０をホスト日時の基準と設定する例を示す。
【００５８】
図５の３０１〜３０３に示すように、通常の２００８年１２月２６日、水曜日、８時１０分５１秒は、ホスト日時では前日に日付の２００８年１２月２５日、火曜日、３２時１０分５１秒と表示される。この表示は、３２時２９分５９秒まで続き、１秒後のホスト日時は、２００８年１２月２６日、水曜日、８時３０分００秒と表示される。
【００５９】
３０４は延長指示ボタンであり、押下することにより事前に設定されているホスト日時で日を切り替える時間が来ても、日を継続させて表示させることができる。
【００６０】
３０５は自身の拠点名及び磁気テープ制御装置を表示する欄である。３０６〜３１１はそれぞれ処理対象画面、処理済み画面、障害発生表示画面、保留表示画面、ＣＭＴ装置画面及びネットワーク表示画面（いずれも図示せず）に移行するためのタブである。
【００６１】
処理対象画面には、現在操作している磁気テープ制御装置で読み込みを行なった磁気テープ情報の一覧が表示される。この処理対象画面内にある磁気テープ情報に対して書込み処理を開始すると、該当する磁気テープ情報は、当該処理対象画面から一時的に表示されなくなる。これは、複数の磁気テープ制御装置での競合を防ぐためである。処理済み画面には、処理対象画面に表示された磁気テープ情報が実際に磁気テープに書き込まれたものが、処理対象画面から移動し表示される。表示される項目は処理対象画面と同様である。処理対象画面に表示された磁気テープ情報は、ホスト日時による“日”が変わると自動的に保留表示画面に移動する。また、操作員の操作により、処理対象画面に表示された磁気テープ情報を障害発生表示画面に移動させることも出来る。表示される項目は処理対象画面と同様である。ＣＭＴ装置画面のタブをクリックすると、図５に示す２つのＣＭＴ装置に関する情報が表示される（３１２〜３３３）。この画面では、ＣＭＴ装置の状態確認と処理実行開始及び処理結果の確認ができる。ネットワーク表示画面のタブをクリックすると、予め設定されたネットワークの状況、ＩＰアドレスが表示される。
【００６２】
図５には、１つの磁気テープ制御装置が２台のＣＭＴ装置を利用して処理する態様が記載されており、３１２には１台目のＣＭＴ装置の名称「ＭＴ−１」が表示されており、図中右側には２台目のＣＭＴ装置の名称「ＭＴ−２」が表示されている。なお、「ＭＴ−２」においても表示される項目は同様なので、図５においては、「ＭＴ−１」についてのみ符号を付して説明する。３１３はＣＭＴ装置の状態を表示する欄であり、青く表示された場合は有効、白く表示された場合は無効を意味する。３１４はマガジンの状態を表示する欄であり、緑色に表示された場合は磁気テープの搬送が可能な状態、黄色に表示された場合は磁気テープの搬送が不可能な状態、白く表示された場合はマガジンが取り外された状態を意味する。３１５は磁気テープの状態を表示する欄であり、緑色に表示された場合は磁気テープがドライブに装填されていることを意味し、白く表示された場合は磁気テープがドライブに装填されていないことを意味する。３１６は磁気テープの書込み保護の状態を表示する欄であり、黄色く表示された場合は磁気テープは書込み保護されている状態を表し、白く表示された場合は磁気テープは書込み保護されていない状態を表す。
【００６３】
３１７は磁気テープに記録されているラベル種別を表示する欄であり、「ＳＴＡＮＤＡＲＤ」と表示された場合は標準ラベル（ＳＬ）で記録されていることを意味し、「ＮＯＮＥ」と表示された場合はノンラベル（ＮＬ）で記録されていることを意味する。３１８は磁気テープに記録されているＶＯＬ番号を表示する欄である。３１９は磁気テープに記録されているデータセット名を表示する欄である。３２０は磁気テープに記録されている順序番号を表示する欄である。３２１は磁気テープに記録されているトラック数を表示する欄である。３２２は磁気テープの処理済みテープマーク数を表示する欄である。３２３は伝送中は伝送済みサイズを表示する欄であり、磁気テープ入出力中は磁気テープの処理済みサイズを表示する欄となる。３２４は磁気テープの処理済みブロック数を表示する欄である。３２５は伝送中は伝送の転送レートを表示する欄となり、磁気テープ入出力中は磁気テープの転送レートを表示する欄となる。
【００６４】
３２６はＣＭＴ装置に格納された磁気テープに関する情報と処理結果を表示する欄であり、各欄の表示内容は次の通りである。「Ｎｏ.」はＣＭＴ装置のスロット番号を表示する、「ＳＴＡＴＵＳ」は磁気テープの格納状態を表示し、「・・・」は対象スロットに磁気テープが格納されていないことを意味し、「ＭＥＤＩＵＭ」は対象スロットに磁気テープが格納されていることを意味し、「ＤＲＩＶＥ」は対象スロットに格納された磁気テープがドライブに装填されている状態を意味する。「ＶＯＬＳＥＲ」は磁気テープから取得したＶＯＬ番号を表示する。「ＤＡＴＡＳＥＴ」は磁気テープから取得したデータセット名を表示する。「ＳＥＱ」は磁気テープから取得した順序番号を表示する。「ＴＲＡＣＫ」は磁気テープの記録密度を表示する。「ＢＬＯＣＫ」は磁気テープに記録されている、あるいは記録したブロック数を表示する。「ＲＥＳＵＬＴ」は処理結果を表示し、◎は処理に成功、○は処理に成功、かつ磁気テープの終端はマルチボリュームの続きがあることを示す、×は処理に失敗したことをそれぞれ示す。
【００６５】
３２７はラベル形式を選択する欄であることを示すものであり、３２８あるいは３３０をマウスなどを操作することにより、ラベル形式ＳＬあるいはＮＬを選択可能である。図５においては、ラベル形式はＳＬが選択されており、選択されたラベル形式は色付き表示される。３３２は処理を開始するボタンであり、３３３は処理を中止するボタンであり、３３９は磁気テープ管理画面ＳＣ３を終了させるためのボタンである。
【００６６】
（システムの動作のフローチャートによる説明）
次に、本発明における読み込み処理及び書き込み処理について、図６〜図１４に記載のフローチャートを参照しながら詳細に説明する。
【００６７】
＜読込処理＞
読み込み処理は、送信元である拠点１側において行う処理である。読み込み対象の磁気テープをＣＭＴ装置に格納した状態で、上記説明した通り、ユーザーにおいてマウスなどを操作することにより磁気テープ複製プログラムを起動する。そして、ログイン画面を表示しユーザー名、パスワードを入力し、メインメニュー画面に進み、磁気テープ読込ボタン２０１を押し、磁気テープ管理画面ＳＣ３においてラベル形式の選択等の所定の入力を行った後、実行ボタン３３２を押下すると読込処理が開始される。
【００６８】
具体的には、読み込み対象の磁気テープのラベル形式がＳＬであった場合には図６に示すように、ＮＬであった場合には図７に示すように処理される。
【００６９】
最初に、ラベル形式がＳＬであった場合について詳細に説明すると、当該読込処理が開始されると、まず、ＣＭＴロード処理が行われる（Ｓ１００）。このＣＭＴロード処理の詳細は図８に示されており、当該ＣＭＴロード処理が開始されると、最初に、ＣＭＴ装置が有効であるか無効であるかの状態が取得され（Ｓ３００）、有効であった場合には磁気テープ（ＣＭＴ）をスロットからドライブへ搬送し（Ｓ３０１）、ドライブのレディ待ちを行い（Ｓ３０２）、磁気テープ情報を取得し（Ｓ３０３）、当該ＣＭＴロード処理は終了する。
【００７０】
前記ＣＭＴロード処理が終了すると、次に、ＣＭＴ処理を行った磁気テープに該当する業務情報を検索する検索処理が行われる（Ｓ１０１）。この検索処理は次のようにして行われる。
【００７１】
まず最初に、磁気テープから「ＶＯＬ番号」、「データセット名」及び「順序番号」を取得する（処理１）。次に、環境情報から「拠点」の情報を取得し（処理２）、業務情報一覧５０１から「拠点」、「データセット名」及び「順序番号」が全て一致する情報を全て抽出する（処理３）。その結果、該当情報がない場合、業務情報不一致エラーとする（処理４）。一方、処理３の結果のうち、「ＶＯＬ形式」が「固定」であり、かつ、「ＶＯＬ番号」が一致する情報を全て抽出し（処理５）、その結果が一件の場合、その情報を検索結果とする（処理６）。一方、処理５の結果が複数件の場合、処理５の結果を画面にポップアップし、オペレーターが選択した情報を検索結果とする（処理７）。また、処理５の結果がない場合は、処理３のうち、「ＶＯＬ形式」が「非固定」の情報を全て抽出し（処理８）、結果がない場合、業務情報不一致エラーとする（処理９）。一方、処理８の結果が一件の場合、その情報を検索結果とする（処理１０）。また、処理８の結果が複数件の場合、処理８の結果を画面にポップアップし、オペレーターが選択した情報を検索結果とする（処理１１）。
【００７２】
前記検索処理が終了すると、次に、重複入力であるか否かが調べられる（Ｓ１０２）。重複入力か否かは識別コードを対比することにより行われる。その結果、重複入力であった場合には（Ｓ１０２のＹ）、既に、その磁気テープはＣＭＴロード処理、検索処理を行っており、重複作業になってしまうことから、その結果を示す結果ログを出力する処理を行なう。一方、重複入力でない場合には（Ｓ１０２のＮ）、次に、ＣＭＴ読込処理（Ｓ１０３）が行われる。このＣＭＴ読込処理の詳細は図９に示されており、当該ＣＭＴ読込処理が開始されると、最初に、イメージファイルをローカルディスクに新規作成し（Ｓ４００）、磁気テープから１ブロックあるいは１ＴＭ（テープマーク）を読み込み（Ｓ４０１）、イメージファイルへ１ブロックあるいは１ＴＭ書き込む（Ｓ４０２）。その後、テープの終端か否かがチェックされ（Ｓ４０３）、テープの終端でない場合には（Ｓ４０３のＮ）、前記Ｓ４０１、Ｓ４０２の処理がテープの終端となるまで行われ、一方、テープの終端であった場合には（Ｓ４０３のＹ）、読込ブロック数、ＴＭ数の評価を行ない（Ｓ４０４）、識別コード、磁気テープ情報をイメージファイルに付加し（Ｓ４０５）、当該ＣＭＴ読込処理は終了する。
【００７３】
このイメージファイルを作成する際に、ファイル名を形成するデータの中に、読込みブロック数、ＴＭ数の情報を付加しておく。本発明においては、コピー先である拠点２において磁気テープのいわゆるデッドコピーを作成するため、イメージファイルの中にブロック数などのチェック用データを入れるわけにはいかない。よって、イメージファイルそのものではなく、このファイル名にチェック用データを埋め込み、ファイル名により、ブロック数、ＴＭ数の評価、すなわち、作成されたイメージファイルが、読み込み対象の磁気テープを漏れなく複製しているかの評価を行なう。
【００７４】
前記ＣＭＴ読込処理が終了すると、次に、ＣＭＴアンロード処理が行われる（Ｓ１０４）。その詳細は図１０に示されており、当該ＣＭＴアンロード処理が開始されると、まず、磁気テープを巻き戻し（Ｓ５００）、磁気テープをドライブからスロットへ搬送し（Ｓ４０１）、ローダーレディ待ちとなり（Ｓ４０２）、当該ＣＭＴアンロード処理は終了する。
【００７５】
前記ＣＭＴアンロード処理が終了すると、その結果を表す結果ログが出力され、次いで、読み込むべき次の磁気テープが存在するか否かが調べられ（Ｓ１０６）、存在する場合には（Ｓ１０６のＹ）、前記Ｓ１００〜Ｓ１０５の処理を読み込むべき磁気テープが存在しなくなるまで行ない、一方、読み込むべき磁気テープが存在しなかった場合には（Ｓ１０６のＮ）、当該読込処理は終了する。
【００７６】
次に、ＮＬの場合の読込処理について図７を参照して説明する。このＮＬの場合の読込処理は、要するに、磁気テープ内にボリュームラベルが付加されていないため、このボリュームラベルを手作業により付加する必要があり、具体的には次のように処理される。まず、ＣＭＴ装置内にＮＬの磁気テープが１巻のみであるか否かが調べられる。このようにＮＬの磁気テープが１巻のみであるか否かを調べるのは、誤作業の防止のためである。複数のＮＬの磁気テープがある場合に、ここに記載するＮＬの場合の読込処理を行なうと、誤って作業する可能性が高くなることから、本実施形態においては、ＣＭＴ装置に複数のＮＬの磁気テープが存在する場合には（Ｓ２００のＮ）、誤りを防止するため、当該読込処理を終了する。
【００７７】
一方、ＮＬの磁気テープが１巻のみである場合（Ｓ２００のＹ）、次に、業務情報選択処理を行なう（Ｓ２０１）。この処理は操作員においてマウス、キーボードなどの各種入力デバイスを用いて行なう。これにより、初めて、ＮＬの磁気テープに識別コードが付される。その後の処理（Ｓ２０２〜Ｓ２０５）は、ＳＬの場合のＳ１０２〜Ｓ１０５の処理と同様である。なお、このＮＬの場合の処理は前記説明した通りＣＭＴ装置にＮＬの磁気テープが１巻存在する場合だけ行なうことから、Ｓ１０６の処理と同様の処理は行なわず、当該読込処理は終了する。
【００７８】
＜書込処理＞
書込処理は、送信先である拠点２側において行う処理である。書き込み対象の磁気テープをＣＭＴ装置に格納した状態で、上記説明した通り、ユーザーにおいてマウスなどを操作することにより磁気テープ複製プログラムを起動する。そして、ログイン画面を表示しユーザー名、パスワードを入力し、メインメニュー画面に進み、磁気テープ書込ボタン２０２を押し、磁気テープ管理画面ＳＣ３においてラベル形式の選択等の所定の入力を行った後、実行ボタン３３２を押下すると書込処理が開始される。
【００７９】
具体的には、書き込み対象の磁気テープのラベル形式がＳＬであった場合には図１１に示すように、ＮＬであった場合には図１２に示すように処理される。
【００８０】
最初に、ラベル形式がＳＬであった場合について詳細に説明すると、当該書込処理が開始されると、まず、ＣＭＴロード処理が行われる（Ｓ６００）。このＣＭＴロード処理は前記Ｓ１００の処理と同様である。次いで、送信元である第一の磁気テープ制御装置のハードディスク内に書き込む磁気テープに該当するイメージファイルが存在するか否かが調べられ（Ｓ６０１）、存在しない場合には（Ｓ６０１のＮ）、その結果が結果ログに出力される（Ｓ６０７）。一方、存在する場合には（Ｓ６０１のＹ）、磁気テープ管理画面ＳＣ３において当該送信元である第一の磁気テープ制御装置のハードディスク内のイメージファイルを処理中状態に変更する（Ｓ６０２）。第二の磁気テープ制御装置２１Ａ及び２１Ｂ間において重複書き込みを防止するためである。
【００８１】
前記Ｓ６０２の処理終了後、続いて、該当する送信元である第一の磁気テープ制御装置のハードディスク内のイメージファイルから第二の磁気テープ制御装置の一時ファイルへのコピー処理を行なう（Ｓ６０３）。このコピー処理の詳細は図１３に示されており、当該コピー処理が開始されると、最初に、ローカルディスクに一時ファイルが作成される（Ｓ８００）。
【００８２】
次に、イメージファイルから一部を読み込み（Ｓ８０１）、次いで一時ファイルへ一部書き込みを行なう（Ｓ８０２）。その後、イメージファイルの終端か否かが調べられ（Ｓ８０４）、イメージファイルの終端でない場合には、前記Ｓ８００〜Ｓ８０２の処理をイメージファイルの終端が検知されるまで行なう。一方、イメージファイルの終端が検知されると（Ｓ８０２のＹ）、次に、イメージファイルと一時ファイルとのサイズを比較する（Ｓ８０４）。その結果、一致していない場合には（Ｓ８０６）、エラー処理を行い、当該コピー処理は終了する。一方、一致した場合には、正常に書込みが行われたとみなし当該コピー処理は終了する。
【００８３】
前記コピー処理が終了すると、次に、ＣＭＴ書込処理が行われる（Ｓ６０４）。このＣＭＴ書込処理の詳細は図１４に示されており、当該ＣＭＴ書込処理が開始されると、まず、一時ファイルから１ブロックあるいは１ＴＭ読み込み（Ｓ９００）、磁気テープへ１ブロックあるいは１ＴＭを書き込み（Ｓ９０１）、その後、一時ファイルの終端か否かが検知される（Ｓ９０２）。その結果、一時ファイルの終端でない場合には（Ｓ９０２のＮ）、前記Ｓ９００及びＳ９０１の処理が一時ファイルの終端が検知されるまで行われる。一方、一時ファイルの終端であった場合には（Ｓ９０２のＹ）、書込ブロック数及びＴＭ数の評価を行なった（Ｓ９０３）後、当該ＣＭＴ書込処理は終了する。
【００８４】
この評価は、前記説明した通り、拠点１から送信されたイメージファイルのファイル名をチェック用データとして行なう。詳細は前記した通りである。
【００８５】
前記ＣＭＴ書込処理が終了すると、次に、ＣＭＴアンロード処理が行われるが（Ｓ６０５）、当該処理は、前記説明したＳ１０４の処理と同様であるのでここでは説明を省略する。次いで、ＣＭＴアンロード処理終了後、磁気テープ管理画面において、第一の磁気テープ制御装置のファイルを、書き込みが終了した磁気テープの磁気テープ情報を処理済みに変更し（Ｓ６０６）、その結果を示す結果ログを出力し（Ｓ６０７）、次いで、書き込むべき次の磁気テープが存在するか否かが調べられ（Ｓ６０８）、存在する場合には（Ｓ６０８のＹ）、前記Ｓ６００〜Ｓ６０７の処理を書き込むべき磁気テープが存在しなくなるまで行ない、一方、書き込むべき磁気テープが存在しなかった場合には（Ｓ６０８のＮ）、当該書込処理は終了する。
【００８６】
次に、ＮＬの場合の書込処理について図１２を参照して説明する。このＮＬの場合の書込処理も、前記ＮＬの場合の読込処理で説明したのと同様に、磁気テープ内にボリュームラベルが付加されていないため、書き込むイメージファイルを自動的に選択することができない。そこで、操作員が手作業で書き込み対象を選択する必要がある。具体的には、前記図７における場合と同様に、誤り防止のため、ＮＬの磁気テープが１巻のみか否かが調べられ（Ｓ７００）、複数あった場合には、処理は終了し（Ｓ７００のＮ）、一方、１巻のみであった場合には（Ｓ７００のＹ）、次に、操作員が書き込みイメージファイルを前記同様キーボード等を使用して選択する（Ｓ７０１）。後の処理は前記図７の説明と同様に、ＳＬの場合の書込処理Ｓ６００〜Ｓ６０７の処理と同様である。
【００８７】
なお、拠点１にはメインフレーム（図示なし）と、メインフレームから出力されるデータを記憶する磁気テープ装置（図示なし）が設置されている。拠点１では、この磁気テープ装置を使用し、イメージファイルを記憶した磁気テープが保管されている。拠点１では、本発明の磁気テープ複製システムを実施して、拠点１の磁気テープのイメージファイルを、拠点２の磁気テープに複製する。このため、メインフレームに依存することなく、オフライン処理で全く同じ磁気テープを複製することができる。
【符号の説明】
【００８８】
１    磁気テープ複製システム
１０Ａ、１０Ｂ、２０Ａ、２０Ｂ  ＣＭＴ装置
１１Ａ、１１Ｂ  第一の磁気テープ制御装置
１２Ａ、１２Ｂ、２２Ａ、２２Ｂ  ルータ
２１Ａ、２１Ｂ  第二の磁気テープ制御装置
Ｎ１、Ｎ２  ネットワーク
ＳＣ１  ログイン画面
ＳＣ２  メインメニュー画面
ＳＣ３  磁気テープ管理画面
ＳＣ４  カレンダー設定画面
ＳＣ５  業務情報設定画面
【図１】
2010165435.tif 000003
【図２】
2010165435.tif 000004
【図３】
2010165435.tif 000005
【図４】
2010165435.tif 000006
【図５】
2010165435.tif 000007
【図６】
2010165435.tif 000008
【図７】
2010165435.tif 000009
【図８】
2010165435.tif 000010
【図９】
2010165435.tif 000011
【図１０】
2010165435.tif 000012
【図１１】
2010165435.tif 000013
【図１２】
2010165435.tif 000014
【図１３】
2010165435.tif 000015
【図１４】
2010165435.tif 000016